(57)【要約】【課題】通話可能な回線数を、より確実に設定できる通信システムを提供する。【解決手段】通信システムは、伝送路Ｌｓ１に接続される複数の通話端末１ａ，１ｂ，１ｃと、通話端末間の通信を制御する呼制御サーバ２と、伝送路Ｌｓ１で通話可能な回線数を設定する通信設定サーバ３とを備える。通話端末１ａ，１ｂ，１ｃは、パケット化した信号をマルチキャリア変調及び多値変調でディジタル変調して伝送する。通信設定サーバ３は、通話端末１ａ，１ｂ，１ｃに対してＰＨＹ速度及び実効スループットの送信要求を出力し、送信要求に応答して通話端末１ａ，１ｂ，１ｃから返送されたＰＨＹ速度及び実効スループットに基づいて、伝送路Ｌｓ１で通話可能な回線数を設定する。呼制御サーバ２は、通信設定サーバ３で設定された回線数にしたがって、通話端末間の通信を制御する。【選択図】図１
2014072551.tif 000002
【特許請求の範囲】
【請求項１】
伝送路に接続される複数の通話端末と、前記通話端末間の通信を制御する呼制御サーバと、前記伝送路で通話可能な回線数を設定する設定部とを備え、
前記通話端末は、パケット化した信号をマルチキャリア変調及び多値変調でディジタル変調して伝送し、
前記設定部は、前記通話端末に対して前記伝送路のＰＨＹ速度及び実効スループットの送信要求を出力し、前記送信要求に応答して前記通話端末から返送されたＰＨＹ速度及び実効スループットに基づいて、前記伝送路で通話可能な回線数を設定し、
前記呼制御サーバは、前記設定部で設定された通話の回線数にしたがって、前記通話端末間の通信を制御することを特徴とする通信システム。
【請求項２】
前記設定部は、前記通話端末から取得したＰＨＹ速度が所定の第１閾値よりも高く、且つ、前記通話端末から取得した実効スループットが所定の第２閾値より低い場合、前記通話端末に対してＰＨＹ速度を低くする制御命令を送信することを特徴とする請求項１記載の通信システム。
【請求項３】
前記設定部は、前記通話端末から取得したＰＨＹ速度が所定の第１閾値よりも低く、且つ、前記通話端末から取得した実効スループットが所定の第２閾値より低い場合、前記通話端末に対してＰＨＹ速度を高くする制御命令を送信することを特徴とする請求項１記載の通信システム。
【請求項４】
前記通話端末は、ＰＨＹ速度及び実効スループットのうち少なくとも何れか一方が所定の基準値より低くなると、通信速度の低下を通知する通知信号を前記設定部に送信し、
前記設定部は、前記通知信号を受信すると、前記通話端末に対してＰＨＹ速度及び実効スループットの送信要求を出力し、前記送信要求に応答して前記通話端末から返送されたＰＨＹ速度及び実効スループットに基づいて、前記伝送路で通話可能な回線数を設定することを特徴とする請求項１乃至３の何れか１項に記載の通信システム。
【請求項５】
複数の前記伝送路の各々に、複数の前記通話端末が接続されており、
前記呼制御サーバ及び前記設定部を、複数の前記伝送路の内の何れかに選択的に接続するスイッチを備え、
前記設定部は、前記スイッチを介して所望の前記伝送路に接続された前記通話端末にＰＨＹ速度及び実効スループットの送信要求を出力し、
前記設定部は、前記送信要求に応答して前記通話端末から前記スイッチを介して返送されたＰＨＹ速度及び実効スループットに基づいて、対応する前記伝送路で通話可能な回線数を設定し、
前記呼制御サーバは、前記伝送路毎に、前記設定部によって設定された回線数にしたがって、前記通話端末間の通信を制御することを特徴とする請求項１記載の通信システム。
【請求項６】
前記設定部は、複数の前記伝送路の各々について、設定対象の前記伝送路に接続された前記通話端末から取得したＰＨＹ速度が所定の第１閾値よりも高く、且つ、前記通話端末から取得した実効スループットが所定の第２閾値より低い場合、設定対象の前記伝送路に接続された前記通話端末に対してＰＨＹ速度を低くする制御命令を送信することを特徴とする請求項５記載の通信システム。
【請求項７】
前記設定部は、複数の前記伝送路の各々について、設定対象の前記伝送路に接続された前記通話端末から取得したＰＨＹ速度が所定の第１閾値よりも低く、且つ、前記通話端末から取得した実効スループットが所定の第２閾値より低い場合、設定対象の前記伝送路に接続された前記通話端末に対してＰＨＹ速度を高くする制御命令を送信することを特徴とする請求項５記載の通信システム。
【請求項８】
前記通話端末は、ＰＨＹ速度及び実効スループットのうち少なくとも何れか一方が所定の基準値よりも低くなると、前記伝送路の通信速度の低下を通知する通知信号を前記設定部に前記スイッチを介して送信し、
前記設定部は、前記通知信号を受信すると、前記通知信号の送信元である前記通話端末が接続された前記伝送路に接続されている全ての前記通話端末にＰＨＹ速度及び実効スループットの送信要求を出力し、
前記設定部は、前記送信要求に応答して前記通話端末から返送されたＰＨＹ速度及び実効スループットに基づいて、対応する前記伝送路で通話可能な回線数を設定することを特徴とする請求項５乃至７の何れか１項に記載の通信システム。
【請求項９】
前記設定部は、前記呼制御サーバと別に設けられ、前記伝送路で通話可能な回線数を設定した結果を前記呼制御サーバに出力する別のサーバ装置であることを特徴とする請求項１乃至８の何れか１項に記載の通信システム。
【発明の詳細な説明】
【技術分野】
【０００１】
本発明は、通信システムに関するものである。
【背景技術】
【０００２】
従来、ＩＰプロトコルに基づき情報を宛先に交換するＩＰ交換機と、無線ＬＡＮの基地局の情報を統合的に扱う無線ＬＡＮ機器と、基地局と無線により情報通信する情報端末装置とを含む通信システムがあった（例えば特許文献１参照）。
【０００３】
上記特許文献１に開示される通信システムでは、無線ＬＡＮ機器がＩＰ交換機に無線ＬＡＮ機器の状況（例えば通話数、通話品質、ＣＰＵ負荷状態）を提供する。ＩＰ交換機は、無線ＬＡＮ機器から提供された無線ＬＡＮ機器の状況に応じて、音声をデータ化する際に用いるコーデックの種類と、ＩＰパケットの送出間隔とを変更することで、通話数を確保している。
【先行技術文献】
【特許文献】
【０００４】
【特許文献１】特開２００７−３１８４１９号公報
【発明の概要】
【発明が解決しようとする課題】
【０００５】
ところで、音声信号や映像信号を多重化して伝送する通信システムにおいて、周辺環境の悪化（例えばノイズの増加）によってパケットロスが頻繁に発生すると、パケットの再送処理が行われ、実効スループットが低下する。
【０００６】
上述した特許文献１の通信システムでは、通話数や通話品質に基づいて、所望の通話数が確保できるように、コーデックの種類やＩＰパケットの送出間隔を変更しているが、ノイズなどの影響でパケットロスが発生し、それによってパケットの再送処理が増加すると、実効スループットが低下するため、コーデックの種類やＩＰパケットの送出間隔を変更しても、所望の通話数を確保できない可能性があった。
【０００７】
本発明は上記課題に鑑みて為されたものであり、その目的とするところは、通話可能な回線数を、より確実に設定できる通信システムを提供することにある。
【課題を解決するための手段】
【０００８】
本発明の通信システムは、伝送路に接続される複数の通話端末と、前記通話端末間の通信を制御する呼制御サーバと、前記伝送路で通話可能な回線数を設定する設定部とを備えることを特徴とする。前記通話端末は、パケット化した信号をマルチキャリア変調及び多値変調でディジタル変調して伝送する。前記設定部は、前記通話端末に対して前記伝送路のＰＨＹ速度及び実効スループットの送信要求を出力し、前記送信要求に応答して前記通話端末から返送されたＰＨＹ速度及び実効スループットに基づいて、前記伝送路で通話可能な回線数を設定する。前記呼制御サーバは、前記設定部で設定された通話の回線数にしたがって、前記通話端末間の通信を制御する。
【０００９】
この通信システムにおいて、前記設定部は、前記通話端末から取得したＰＨＹ速度が所定の第１閾値よりも高く、且つ、前記通話端末から取得した実効スループットが所定の第２閾値より低い場合、前記通話端末に対してＰＨＹ速度を低くする制御命令を送信することも好ましい。
【００１０】
この通信システムにおいて、前記設定部は、前記通話端末から取得したＰＨＹ速度が所定の第１閾値よりも低く、且つ、前記通話端末から取得した実効スループットが所定の第２閾値より低い場合、前記通話端末に対してＰＨＹ速度を高くする制御命令を送信することも好ましい。
【００１１】
この通信システムにおいて、前記通話端末は、ＰＨＹ速度及び実効スループットのうち少なくとも何れか一方が所定の基準値より低くなると、通信速度の低下を通知する通知信号を前記設定部に送信することも好ましい。前記設定部は、前記通知信号を受信すると、前記通話端末に対してＰＨＹ速度及び実効スループットの送信要求を出力し、前記送信要求に応答して前記通話端末から返送されたＰＨＹ速度及び実効スループットに基づいて、前記伝送路で通話可能な回線数を設定する。
【００１２】
この通信システムにおいて、複数の前記伝送路の各々に、複数の前記通話端末が接続されており、前記呼制御サーバ及び前記設定部を、複数の前記伝送路の内の何れかに選択的に接続するスイッチを備えることも好ましい。前記設定部は、前記スイッチを介して所望の前記伝送路に接続された前記通話端末にＰＨＹ速度及び実効スループットの送信要求を出力する。前記設定部は、前記送信要求に応答して前記通話端末から前記スイッチを介して返送されたＰＨＹ速度及び実効スループットに基づいて、対応する前記伝送路で通話可能な回線数を設定する。前記呼制御サーバは、前記伝送路毎に、前記設定部によって設定された通話の回線数にしたがって、前記通話端末間の通信を制御する。
【００１３】
この通信システムにおいて、前記設定部は、複数の前記伝送路の各々について、設定対象の前記伝送路に接続された前記通話端末から取得したＰＨＹ速度が所定の第１閾値よりも高く、且つ、前記通話端末から取得した実効スループットが所定の第２閾値より低い場合、設定対象の前記伝送路に接続された前記通話端末に対してＰＨＹ速度を低くする制御命令を送信することも好ましい。
【００１４】
この通信システムにおいて、前記設定部は、複数の前記伝送路の各々について、設定対象の前記伝送路に接続された前記通話端末から取得したＰＨＹ速度が所定の第１閾値よりも低く、且つ、前記通話端末から取得した実効スループットが所定の第２閾値より低い場合、設定対象の前記伝送路に接続された前記通話端末に対してＰＨＹ速度を高くする制御命令を送信することも好ましい。
【００１５】
この通信システムにおいて、前記通話端末は、ＰＨＹ速度及び実効スループットのうち少なくとも何れか一方が所定の基準値よりも低くなると、前記伝送路の通信速度の低下を通知する通知信号を前記設定部に前記スイッチを介して送信することも好ましい。前記設定部は、前記通知信号を受信すると、前記通知信号の送信元である前記通話端末が接続された前記伝送路に接続されている全ての前記通話端末にＰＨＹ速度及び実効スループットの送信要求を出力する。前記設定部は、前記送信要求に応答して前記通話端末から返送されたＰＨＹ速度及び実効スループットに基づいて、対応する前記伝送路で通話可能な回線数を設定する。
【００１６】
この通信システムにおいて、前記設定部は、前記呼制御サーバと別に設けられ、前記伝送路で通話可能な回線数を設定した結果を前記呼制御サーバに出力する別のサーバ装置であることも好ましい。
【発明の効果】
【００１７】
本発明によれば、通話端末から取得したＰＨＹ速度と実効スループットとに基づいて設定部が設定した回線数にしたがって、呼制御サーバが通話端末間の通信を制御しているので、通信エラーが発生しにくい程度に通話の回線数を抑えることができる。よって、通信エラーによるパケットロスが発生しにくくなり、受信に失敗したパケットの再送処理が低下するから、実効スループットが向上し、結果的に、伝送路で通話可能な回線数を増やすことができる。
【図面の簡単な説明】
【００１８】
【図１】実施形態１の通信システムのシステム構成図である。
【図２】実施形態２の通信システムのシステム構成図である。
【発明を実施するための形態】
【００１９】
本発明の技術思想を、例えば集合住宅の各住戸に設置された住戸端末の間で音声信号及び映像信号を伝送して内線通話を行う通信システムに適用した一実施形態について図面を参照して説明する。
【００２０】
（実施形態１）
本発明の実施形態１を図１に基づいて説明する。図１は本実施形態の概略的なシステム構成図であり、この通信システムは、伝送路Ｌｓ１に接続される複数台の通話端末１ａ，１ｂ，１ｃと、呼制御サーバ２と、通信設定サーバ３（設定部）を備えている。尚、以下の説明において、個々の通話端末について説明する場合は通話端末１ａ，１ｂ，１ｃと表記し、全ての通話端末に共通する説明を行う場合は通話端末１と表記する。また、図１では３台の通話端末１ａ，１ｂ，１ｃが伝送路Ｌｓ１に接続されているが、通話端末の台数を３台に限定する趣旨のものではなく、通話端末の台数は適宜変更可能である。
【００２１】
呼制御サーバ２は、通話端末間の通信を制御する機能を備えている。
【００２２】
通信設定サーバ３は、伝送路Ｌｓ１で通話可能な回線数を設定する設定部としての機能を有している。本実施形態では、呼制御サーバ２と別に設けられ、伝送路で通話可能な回線数を設定した結果を呼制御サーバ３に出力する別のサーバ装置（呼制御サーバ２）で設定部が構成されている。これにより、呼制御サーバ２による演算処理の負荷を増やすことなく、通話可能な回線数を設定できるが、通信設定サーバ３による設定機能を呼制御サーバ２に持たせることで、呼制御サーバ２が設定部を兼用してもよい。
【００２３】
通話端末１（１ａ，１ｂ，１ｃ）は、集合住戸の各住戸に設置された住戸機からなり、伝送路Ｌｓ１から分岐器４を介して分岐されて住戸内に引き込まれた住戸線に接続されている。通話端末１ａ，１ｂ，１ｃは同一の構成を有しているので、通話端末１ａについて構成を説明し、他の通話端末１ｂ，１ｃについては説明を省略する。
【００２４】
通話端末１ａは、図１に示すように、制御部１０と伝送処理部１１と通話処理部１２とマイクロホン１３とスピーカ１４とＡ／Ｄ変換器１５とＤ／Ａ変換器１６と映像処理部１７と表示部１８と操作入力受付部１９を備えている。通話端末１ａのマイクロホン１３にユーザが話した音声は、マイクロホン１３でアナログの電気信号（音声信号）に変換され、Ａ／Ｄ変換器１５でディジタルの音声信号（送話音声データ）に変換された後、通話処理部１２に入力される。また、通話処理部１２から出力されるディジタルの音声信号（受話音声データ）はＤ／Ａ変換器１６によってアナログの音声信号（受話音声信号）に変換されたのち、スピーカ１４に入力され、スピーカ１４から音声（受話音声）が出力される。
【００２５】
通話処理部１２は、音声スイッチやエコーキャンセラなどを具備し、伝送処理部１１から入力される受話音声信号及びＡ／Ｄ変換器１５から入力される送話音声信号を信号処理することでハウリングやエコーを抑制して良好なハンズフリー通話を実現するものである。なお、通話処理部１２で処理された送話音声信号は伝送処理部１１に出力される。
【００２６】
表示部１８は、例えば液晶ディスプレイなどの表示デバイスと、表示デバイスを駆動して映像を表示させる駆動回路とで構成される。映像処理部１７は、伝送処理部１１から出力される映像信号（映像データ）から元の映像を再構成し、再構成した映像を表示部１８に表示させる。
【００２７】
制御部１０は、ＣＰＵやメモリなどのハードウェアと、ＣＰＵで実行される種々のプログラム（ソフトウェア）とで構成される。操作入力受付部１９は、タッチパネルや押釦スイッチなどの入力デバイスを有し、入力デバイスが操作されることで種々の操作入力を受け付けるとともに、それぞれの操作入力に応じた操作信号を制御部１０に出力する。例えば通話端末１ａの筐体前面には呼出釦や応答釦が設けられ、呼出釦や応答釦が押操作されると、操作入力受付部１９で操作入力が受け付けられて呼出操作や応答操作の操作信号が出力される。制御部１０では、操作入力受付部１９から操作信号が入力されると、入力された操作信号に応じた処理を実行する。
【００２８】
伝送処理部１１は、他の通話端末１や呼制御サーバ２や通信設定サーバ３との間で、伝送路Ｌｓ１を介してパケット伝送を行うものである。伝送処理部１１は、制御部１０で作成される制御信号（制御データ）を分割してパケット（制御パケット）を作成する。同様に、伝送処理部１１は、通話処理部１２で作成される送話音声信号（送話音声データ）を分割してパケット（音声パケット）を作成する。さらに伝送処理部１１は、制御パケットや音声パケットを符号化するとともに、符号化されたビット列を電気信号に変換してマルチキャリア変調方式及び多値変調方式でディジタル変調した後、分岐器４を介して伝送路Ｌｓ１に送信する。尚、マルチキャリア変調方式や多値変調方式については従来周知であるから、その説明は省略する。
【００２９】
また伝送処理部１１は、伝送路Ｌｓ１から分岐器４を介して入力される電気信号をビット列に変換（復調）し、復調されたビット列からパケット（音声パケット、制御パケット、映像パケット）を復号化する。なお、復号化したパケットの宛先アドレスが自己のアドレス（各通話端末１に割り当てられたアドレス）に一致しない場合、伝送処理部１１は、復号化したパケットを破棄する。一方、復号化したパケットの宛先アドレスが自己のアドレスに一致する場合、伝送処理部１１は、復号化したパケットのデータフィールドに含まれるデータを取り込む。伝送処理部１１は、取り込んだデータが映像データ（映像信号）であれば映像処理部１７に、制御データ（制御信号）であれば制御部１０に、音声データ（音声信号）であれば通話処理部１２に、それぞれ出力する。但し、パケットの宛先アドレスがマルチキャストアドレス又はブロードキャストアドレスであれば、伝送処理部１１は、自己のアドレスに一致しない場合でも、復号化したパケットを破棄せずに処理する。また伝送処理部１１は、ノイズなどの影響でパケットの受信に失敗すると、送信元の通話端末１に対してパケットの再送要求（ＮＡＣＫ）を送信する。また伝送処理部１１はパケット受信成功時に成功応答（ＡＣＫ）を送信元の通話端末１に返送するのであるが、送信元の通話端末１はパケットを送信してから一定時間内に成功応答を受信できなければ、パケットを再送するようになっている。
【００３０】
また伝送処理部１１では、各々の通話端末毎にＰＨＹ速度が設定されており、他の通話端末との間でデータ伝送を行うことによって、各々の通話端末毎に実効スループットを求めることができる。
【００３１】
この通信システムでは、通話端末１が、パケット化した信号をマルチキャリア変調及び多値変調の両方の変調方式でディジタル変調することによって、１つの伝送路Ｌｓ１で複数回線の通話を同時に行うことができる。
【００３２】
ここで、ノイズなどの影響で伝送路Ｌｓ１の通信環境が悪化すると、実効スループットが低下するが、通信設定サーバ３によって伝送路Ｌｓ１で通話可能な回線数が高めに設定されていると、使用するサブキャリアの数が多く、また多値度も大きいために、ノイズの影響を受けやすくなって、通信エラーが発生しやすくなる。そのため、通信エラーによるパケットロスが発生しやすく、受信に失敗したパケットの再送処理が増加するため、実効スループットが低下して、伝送路Ｌｓ１で通話可能な回線数が低下すると考えられる。
【００３３】
そこで、本実施形態では、通信設定サーバ３が、伝送路Ｌｓ１のＰＨＹ速度の設定と実効スループットの測定値とに基づいて、伝送路Ｌｓ１で通話可能な回線数を設定しており、以下にその設定手順を説明する。
【００３４】
通信設定サーバ３は、定期的に、伝送路Ｌｓ１に接続された全ての通話端末１に対して、ＰＨＹ速度及び実効スループットの情報を要求する送信要求を、宛先アドレスをブロードキャストアドレスとして送信する。
【００３５】
伝送路Ｌｓ１に接続された通話端末１は、通信設定サーバ３からの送信要求を受信すると、他の通話端末との間の通信のＰＨＹ速度と実効スループットを、送信要求に対する応答信号として通信設定サーバ３に返送する。例えば通話端末１ａは、応答信号として、通話端末１ｂとの間の通信のＰＨＹ速度及び実効スループットと、通話端末１ｃとの間の通信のＰＨＹ速度及び実効スループットを通信設定サーバ３に返信する。また通話端末１ｂは、応答信号として、通話端末１ｃとの間の通信のＰＨＹ速度及び実効スループットと、通話端末１ａとの間の通信のＰＨＹ速度及び実効スループットを通信設定サーバ３に返信する。また通話端末１ｃは、応答信号として、通話端末１ａとの間の通信のＰＨＹ速度及び実効スループットと、通話端末１ｂとの間の通信のＰＨＹ速度及び実効スループットを通信設定サーバ３に返信する。
【００３６】
通信設定サーバ３は、伝送路Ｌｓ１に接続された通話端末１からＰＨＹ速度及び実効スループットの測定値が返送されると、ＰＨＹ速度と実効スループットの測定値をもとに、伝送路Ｌｓ１で通話可能な回線数を設定し、その設定値を呼制御サーバ２に出力する。
【００３７】
呼制御サーバ２は、通信設定サーバ３から、伝送路Ｌｓ１で通話可能な回線数の設定が入力されると、設定された回線数以内で通話端末間の通話を確立させている。
【００３８】
これにより、ノイズなどの通信環境に応じて設定された回線数以内に通話端末間の通話が制限されるから、通信エラーによるパケットロスが発生しにくくなり、それによってパケットの再送処理が低下するため、実効スループットを向上させることができる。その結果、伝送路Ｌｓ１で通話可能な回線数を増やすことができ、伝送路Ｌｓ１で伝送されるデータ量が増加するものと期待できる。
【００３９】
例えば、ＰＨＹ速度の設定値が所定の第１閾値よりも高く、且つ、実効スループットが所定の第２閾値よりも低い場合、以前にＰＨＹ速度を設定した時点での伝送路Ｌｓ１の通信環境よりも、現時点での伝送路Ｌｓ１の通信環境の方が悪化していると考えられる。この場合、通信設定サーバ３は、上位層において受信に失敗したパケットの再送処理が頻繁に行われていると判断し、ＰＨＹ速度を低くする制御命令を各通話端末１に送信する。各通話端末１は、通信設定サーバ３から送信された制御命令を受信して、ＰＨＹ速度の設定を低下させており、これによって通話可能な回線数が少なくなる。尚、ＰＨＹ速度は、伝送に使用するサブキャリアの数と多値度とにそれぞれ比例するので、通信設定サーバ３は、例えばサブキャリアの数を変更せず、多値度を下げることで、ＰＨＹ速度を低下させる。各通話端末１が、ＰＨＹ速度の設定を下げると、通信エラーによるパケットロスが起こりにくくなり、それによってパケットの再送処理が少なくなると期待できるから、実効スループットが向上し、結果的に通話可能な回線数を増やすことができる。
【００４０】
また、ＰＨＹ速度の設定値が所定の第１閾値よりも低く、且つ、実効スループットが所定の第２閾値よりも低い場合、以前にＰＨＹ速度を設定した時点での伝送路Ｌｓ１の通信環境が悪く、ＰＨＹ速度が過度に低めに設定されたものと考えられる。この場合、通信設定サーバ３は、ＰＨＹ速度の設定が過度に低いと判断し、ＰＨＹ速度を高くする制御命令を各通話端末１に送信する。各通話端末１は、通信設定サーバ３から送信された制御命令を受信して、ＰＨＹ速度の設定を増加させる。尚、通信設定サーバ３は、例えばサブキャリアの数を変更せず、多値度を上げることで、ＰＨＹ速度を増加させる。各通話端末１が、ＰＨＹ速度の設定を上げると、実効スループットが上昇するので、通話可能な回線数を増やすことができる。
【００４１】
尚、通信設定サーバ３は、所定の時間間隔が経過する毎に、各通話端末１から収集したＰＨＹ速度及び実効スループットに基づいて、伝送路Ｌｓ１で通話可能な回線数を決定してるが、通信速度の低下をトリガとして、伝送路Ｌｓ１で通話可能な回線数を決定する処理を行ってもよい。
【００４２】
すなわち、各通話端末１では、ＰＨＹ速度及び実効スループットのうち少なくとも何れか一方が所定の基準値より低くなると、通信速度の低下を通知する通知信号を通信設定サーバ３に送信する。通信設定サーバ３は、通話端末１から送信された通知信号を受信すると、伝送路Ｌｓ１に接続された全ての通話端末１に対してＰＨＹ速度及び実効スループットの送信要求を出力する。そして、通信設定サーバ３は、送信要求に応答して各通話端末１から返送されたＰＨＹ速度及び実効スループットに基づいて、上述のように伝送路Ｌｓ１で通話可能な回線数を設定する。これにより、伝送路Ｌｓ１の通信環境が悪化するなどして通信速度が低下したことをトリガとして、伝送路Ｌｓ１で通話可能な回線数を再設定することができるので、現在の通信環境に応じた通話の回線数を設定することができる。
【００４３】
（実施形態２）
図２に本実施形態の概略的なシステム構成図を示す。この通信システムは、伝送路Ｌｓ１に接続される複数台の通話端末１ａ，１ｂ，１ｃと、伝送路Ｌｓ２に接続される複数台の通話端末１ｄ，１ｅ，１ｆと、呼制御サーバ２と、通信設定サーバ３（設定部）と、スイッチ５を備えている。
【００４４】
尚、呼制御サーバ２及び通信設定サーバ３がスイッチ５を介して伝送路Ｌｓ１又は伝送路Ｌｓ２に接続される点を除いては実施形態１と共通するので、共通の構成要素には同一の符号を付して、その説明は省略する。また、以下の説明において、個々の通話端末について説明する場合は通話端末１ａ，１ｂ，１ｃ，１ｄ，１ｅ，１ｆと表記し、全ての通話端末に共通する説明を行う場合は通話端末１と表記する。また、図２では伝送路Ｌｓ１，Ｌｓ２に通話端末が３台ずつ接続されているが、通話端末の台数を３台に限定する趣旨のものではなく、通話端末の台数は適宜変更可能である。
【００４５】
スイッチ５は、呼制御サーバ２及び通信設定サーバ３に接続される伝送路を、伝送路Ｌｓ１，Ｌｓ２の何れかに選択的に切り替えるために使用される。スイッチ５は、伝送路Ｌｓ１又は伝送路Ｌｓ２に接続された通話端末１からのパケット信号を受信した場合、受信したパケット信号に含まれる宛先アドレスが呼制御サーバ２又は通信設定サーバ３のアドレスに一致すれば、このパケット信号を対応するサーバに送信する。またスイッチ５は、サーバ（呼制御サーバ２又は通信設定サーバ３）から通話端末１に宛てたパケット信号を受信した場合、受信したパケット信号に含まれる宛先アドレスをもとに、宛先の通話端末１が接続されている伝送路（伝送路Ｌｓ１又は伝送路Ｌｓ２）にパケット信号を送信する。尚、伝送路Ｌｓ１に接続された通話端末１と、伝送路Ｌｓ２に接続された通話端末１とにはそれぞれ別々のブロードキャストアドレスが割り当てられている。
【００４６】
この通信システムでは、伝送路Ｌｓ１，Ｌｓ２の各々で、伝送路に接続された通話端末１が、パケット化した信号をマルチキャリア変調及び多値変調の両方の変調方式でディジタル変調することによって、伝送路毎に複数回線の通話を同時に行えるようにしている。
【００４７】
ここで、ノイズ等の影響で伝送路Ｌｓ１又は伝送路Ｌｓ２の通信環境が悪化すると、実効スループットが低下するが、通信設定サーバ３によって伝送路Ｌｓ１，Ｌｓ２で通話可能な回線数が高めに設定されていると、使用するサブキャリアの数が多く、また多値度も大きいために、ノイズの影響を受けやすくなって、通信エラーによるパケットロスが発生しやすくなる。そして、パケットロスが増加すると、受信に失敗したパケットの再送処理が増加するため、実効スループットがさらに低下し、それによって伝送路Ｌｓ１又は伝送路Ｌｓ２で通話可能な回線数が低下すると考えられる。
【００４８】
そこで、本実施形態では、通信設定サーバ３が、伝送路Ｌｓ１，Ｌｓ２の各々について、ＰＨＹ速度の設定と実効スループットの測定値とに基づいて、通話可能な回線数を設定しており、以下にその設定手順を説明する。
【００４９】
通信設定サーバ３は、定期的に、伝送路Ｌｓ１に接続された全ての通話端末１に対して、ＰＨＹ速度及び実効スループットの情報を要求する送信要求を、宛先アドレスを伝送路Ｌｓ１に接続された通話端末１のブロードキャストアドレスとして送信する。伝送路Ｌｓ１に接続された通話端末１は、通信設定サーバ３からの送信要求を受信すると、ＰＨＹ速度の設定と実効スループットの測定値を、送信要求に対する応答信号として通信設定サーバ３に返送する。通信設定サーバ３は、伝送路Ｌｓ１に接続された通話端末１からＰＨＹ速度の設定と実効スループットの測定値が返送されると、ＰＨＹ速度と実効スループットをもとに、伝送路Ｌｓ１で通話可能な回線数を設定し、その設定値を呼制御サーバ２に出力する。
【００５０】
また通信設定サーバ３は、定期的に、伝送路Ｌｓ２に接続された全ての通話端末１に対して、ＰＨＹ速度及び実効スループットの情報を要求する送信要求を、宛先アドレスを伝送路Ｌｓ２に接続された通話端末１のブロードキャストアドレスとして送信する。伝送路Ｌｓ２に接続された通話端末１は、通信設定サーバ３からの送信要求を受信すると、ＰＨＹ速度の設定と実効スループットの測定値を、送信要求に対する応答信号として通信設定サーバ３に返送する。通信設定サーバ３は、伝送路Ｌｓ２に接続された通話端末１からＰＨＹ速度の設定と実効スループットの測定値が返送されると、ＰＨＹ速度と実効スループットをもとに、伝送路Ｌｓ２で通話可能な回線数を設定し、その設定値を呼制御サーバ２に出力する。
【００５１】
呼制御サーバ２は、通信設定サーバ３から、伝送路Ｌｓ１，Ｌｓ２の各々について通話可能な回線数の設定が入力されると、伝送路Ｌｓ１，Ｌｓ２毎に設定された回線数以内で通話端末間の通話を確立させている。
【００５２】
これにより、複数の伝送路Ｌｓ１，Ｌｓ２の各々で、ノイズなどの通信環境に応じて設定された回線数以内に通話端末間の通話が制限されるから、通信エラーによるパケットロスが発生しにくくなり、それによってパケットの再送処理が低下すると予想される。したがって、伝送路Ｌｓ１，Ｌｓ２の各々で実効スループットが向上し、各伝送路で通話可能な回線数を増やすことができるので、各伝送路で伝送されるデータ量が増加するものと期待できる。また、１つの通信設定サーバ３で、複数の伝送路の各々について、通話可能な回線数を設定できるから、伝送路毎に通信設定サーバ３を設ける場合に比べて、通信設定サーバ３の台数を削減できる。
【００５３】
ここにおいて、ある伝送路（例えば伝送路Ｌｓ１）でＰＨＹ速度の設定値が所定の第１閾値よりも高く、且つ、実効スループットが所定の第２閾値よりも低い場合、以前にＰＨＹ速度を設定した時点での通信環境よりも、現時点での通信環境の方が悪化していると考えられる。この場合、通信設定サーバ３は、上位層において受信に失敗したパケットの再送処理が頻繁に行われると判断し、スイッチ５を介して伝送路Ｌｓ１に接続された通話端末１へＰＨＹ速度を低くする制御命令を送信する。この時、伝送路Ｌｓ１に接続された通話端末１は、通信設定サーバ３から送信された制御命令を受信して、ＰＨＹ速度の設定を低下させる。尚、ＰＨＹ速度は、伝送に使用するサブキャリアの数と多値度とにそれぞれ比例するので、通信設定サーバ３は、例えばサブキャリアの数を変更せず、多値度を下げることで、ＰＨＹ速度を低下させる。伝送路Ｌｓ１に接続された通話端末１が、ＰＨＹ速度の設定を下げると、通信エラーによるパケットロスが起こりにくくなり、それによってパケットの再送処理が少なくなると期待できるから、実効スループットが向上し、結果的に通話可能な回線数を増やすことができる。
【００５４】
また、ある伝送路（例えば伝送路Ｌｓ１）でＰＨＹ速度の設定値が所定の第１閾値よりも低く、且つ、実効スループットが所定の第２閾値よりも低い場合、以前にＰＨＹ速度を設定した際の通信環境が悪く、ＰＨＹ速度が過度に低めに設定されたものと考えられる。この場合、通信設定サーバ３は、ＰＨＹ速度の設定が過度に低いと判断し、スイッチ５を介して伝送路Ｌｓ１に接続された通話端末１へ、ＰＨＹ速度を高くする制御命令を送信する。この時、伝送路Ｌｓ１に接続された通話端末１は、通信設定サーバ３から送信された制御命令を受信して、ＰＨＹ速度の設定を増加させる。尚、通信設定サーバ３は、例えばサブキャリアの数を変更せず、多値度を上げることで、ＰＨＹ速度を増加させる。伝送路Ｌｓ１に接続された各話端末１が、ＰＨＹ速度の設定を上げると、実効スループットが上昇するので、通話可能な回線数を増やすことができる。
【００５５】
また、通信設定サーバ３は、伝送路毎に、各伝送路に接続された通話端末１から取得したＰＨＹ速度及び実効スループットに基づいて、この伝送路で通話可能な回線数を設定しているので、各伝送路の通信状態に基づいて最適な回線数を決定できる。
【００５６】
尚、通信設定サーバ３は、複数の伝送路の各々について、定期的に、通話端末１からＰＨＹ速度及び実効スループットを収集し、各伝送路で通話可能な回線数を決定してるが、通信速度の低下をトリガとして、伝送路毎に通話可能な回線数を決定してもよい。
【００５７】
すなわち、伝送路Ｌｓ１，Ｌｓ２にそれぞれ接続された通話端末１は、ＰＨＹ速度及び実効スループットのうち少なくとも何れか一方が所定の基準値より低くなると、通信速度の低下を通知する通知信号をスイッチ５経由で通信設定サーバ３に送信する。通信設定サーバ３は、何れかの伝送路（例えば伝送路Ｌｓ１）に接続された通話端末１からの通知信号を受信すると、この伝送路Ｌｓ１に接続された通話端末１に対してＰＨＹ速度及び実効スループットの送信要求を出力する。そして、通信設定サーバ３は、送信要求に応答して通話端末１から返送されたＰＨＹ速度及び実効スループットに基づいて、上述のように伝送路Ｌｓ１で通話可能な回線数を設定する。これにより、伝送路Ｌｓ１，Ｌｓ２の各々で通信環境が悪化するなどして通信速度が低下したことをトリガとして、各伝送路で通話可能な回線数を再設定しているから、現在の通信環境に応じた回線数を設定することができる。
【００５８】
ところで、本実施形態では、呼制御サーバ２と別に設けられ、伝送路で通話可能な回線数を設定した結果を呼制御サーバ３に出力する別のサーバ装置（呼制御サーバ２）で設定部が構成されている。これにより、呼制御サーバ２による演算処理の負荷を増やすことなく、通話可能な回線数を設定できるが、通信設定サーバ３による設定機能を呼制御サーバ２に持たせることで、呼制御サーバ２が設定部を兼用してもよい。
【００５９】
尚、上述の実施形態１，２では、本発明の技術思想を、集合住宅の各住戸に設置された住戸機の間で内線通話を行うインターホンシステムに適用しているが、通信システムをインターホンシステムに限定する趣旨のものではなく、マルチキャリア変調と多値度変調とを用いてディジタル変調した信号をパケット伝送する通信システムであれば、本発明の技術思想を適用可能である。
【符号の説明】
【００６０】
１ａ，１ｂ，１ｃ  通話端末
２  呼制御サーバ
３  通信設定サーバ（設定部）
４  分岐器
５  スイッチ
Ｌｓ１  伝送路
【図１】
2014072551.tif 000003
【図２】
2014072551.tif 000004